(57)【要約】【課題】  後端規制ガイドに補助部材を設置する場合、補助部材の影響を受けて適切な警告表示を行うことが出来なかった。【解決手段】  画像形成装置において、シート収納部と、該シート収納部に収納されたシートの後端位置を規制する後端規制ガイドと、前記後端規制ガイドの位置を検知する検知部と、前記シート収納部に設定するシートサイズを入力する入力部と、制御手段とを備え、シート収納部は、前記後端規制ガイドと用紙の間に補助部材を設置可能であり、制御手段は、前記入力部により入力されたシートサイズにおける給送方向の長さが所定長さよりも長い場合は後端規制ガイドの位置に応じた警告表示を行う一方で、前記給送方向の長さ所定長さよりも短い場合は後端規制ガイドの位置に応じた警告表示は行わないよう表示部を制御することを特徴とする。【選択図】  図７
2019031044.tif 000002
【特許請求の範囲】
【請求項１】
シートを収納する収納部と、
前記収納部から給送されたシートに画像を形成する画像形成部と、
前記収納部において前記シートの給送方向にスライド可能に構成され、前記給送方向における前記シートの後端の位置を規制する後端規制ガイドと、
前記後端規制ガイドの位置に基づき前記シートのサイズを検知する検知部と、
前記収納部に対して設定するシートのサイズをユーザ指示に基づき入力する入力部と、
情報を表示する表示部と、
前記入力部により入力されたシートのサイズにおける前記給送方向の長さと、前記検知部により検知されたシートのサイズにおける前記給送方向の長さとが対応しているか否かを判定し、該判定の結果に基づく警告画面を前記表示部に表示させる制御手段と、を有し、
前記収納部は、該収納部に収納されるシートと前記後端規制ガイドの間に補助部材を装着可能であり、
前記制御手段は、
前記入力部により入力されたシートのサイズにおける前記給送方向の長さが所定長さよりも長い場合には、前記判定の結果に基づく前記警告画面の表示を行い、
前記入力部により入力されたシートのサイズにおける前記給送方向の長さが前記所定長さよりも短い場合には、前記判定の結果に基づく前記警告画面の表示を行わないように前記表示部を制御することを特徴とする画像形成装置。
【請求項２】
前記補助部材は、前記後端規制ガイドの代わりに前記シートの後端の位置を規制するアタッチメントであることを特徴とする請求項１に記載の画像形成装置。
【請求項３】
前記所定長さは、前記後端規制ガイドが規制することができるシートの前記給送方向の長さよりも短い長さであることを特徴とする請求項１又は２に記載の画像形成装置。
【請求項４】
前記警告画面は、前記入力部により入力されたシートのサイズと、前記検知部により検知されたシートのサイズが不一致であることを示す警告画面であることを特徴とする請求項１乃至３の何れか１項に記載の画像形成装置。
【請求項５】
前記警告画面は、前記後端規制ガイドの位置を調整することを促す警告画面であることを特徴とする請求項１乃至４の何れか１項に記載の画像形成装置。
【請求項６】
前記入力部により不定形サイズのシートのサイズが入力されることを特徴とする請求項１乃至５の何れか１項に記載の画像形成装置。
【請求項７】
前記給送方向に直交する幅方向にスライド可能に構成され、前記幅方向における前記シートの側端を規制するサイド規制ガイドと、を更に有し、
前記検知部は、前記後端規制ガイドの位置と前記サイド規制ガイドの位置に基づいて前記シートのサイズを検知し、
前記制御手段は、前記入力部により入力されたシートのサイズにおける前記幅方向の長さと、前記検知部により検知されたシートのサイズにおける前記幅方向の長さとが対応しているか否かを判定する第２の判定を行い、該第２の判定の結果に基づいて前記警告画面を表示するよう前記表示部を制御し、
前記制御手段は、前記入力部により入力されたシートのサイズにおける前記シートの給送方向の長さが前記所定の長さよりも短い場合であっても、前記第２の判定結果に基づく前記警告画面の表示は行うよう前記表示部を制御することを特徴とする請求項１乃至６の何れか１項に記載の画像形成装置。
【請求項８】
前記収納部は給紙カセットであることを特徴とする請求項１乃至７の何れか１項に記載の画像形成装置。
【請求項９】
前記制御手段は、前記入力部により入力されたサイズ情報における前記シートの給送方向の長さが前記所定長さより小さい場合は、前記判定を実行しないことを特徴とする請求項１乃至８の何れか１項に記載の画像形成装置。
【請求項１０】
前記制御手段により、前記入力部により入力されたシートのサイズにおける前記給送方向の長さと、前記検知部により検知されたシートのサイズにおける前記給送方向の長さとが対応していると判定されるまでは、前記収納部から給送されるシートへの画像形成を行わないことを特徴とする請求項１乃至９の何れか１項に記載の画像形成装置。
【発明の詳細な説明】
【技術分野】
【０００１】
本発明は画像形成装置に関する。
【背景技術】
【０００２】
一般に、複写機や印刷装置等の画像形成装置は、用紙を収納する給紙カセットを備えている。給紙カセットには、Ａ系サイズ（Ａ３、Ａ４、Ａ５）、Ｂ系サイズ（Ｂ４、Ｂ５）、インチ系サイズ（ＬＧＬ、ＬＴＲ）など大小様々なサイズの用紙を収納することが可能に構成されている。また給紙カセットには、現在収納されている用紙のサイズ情報が予め設定されており、間違ったサイズの用紙が給送され画像形成が行われることを未然に防いでいる。
【０００３】
従来、用紙サイズ情報の設定方法として次の方法が提案されている。特許文献１には、用紙の後端や側端の位置を規制する後端ガイドとサイドガイドがカセットに設けられており、これらガイドの位置を検知し、用紙のサイズを自動設定する方法が提案されている。またこの方法以外にも、操作部を用いてユーザにより入力された用紙サイズ情報（ユーザ設定サイズ）を給紙カセットに設定する方法も一般的に知られている。
【０００４】
ところで、後端ガイドやサイドガイドが用紙の後端や側端に当接する位置に正しくセットされていない場合、用紙を給紙する反動で他の用紙が給送方向と逆方向に移動してしまったり、給送時に用紙が斜行してしまったりする虞がある。そこで特許文献２では、ガイドの位置がユーザ設定サイズに合っていないと判定した場合は警告画面を表示する方法が提案されている。
【先行技術文献】
【特許文献】
【０００５】
【特許文献１】特開平７−１１２８４４号公報
【特許文献２】特開２０１５−１３９９３１号公報
【発明の概要】
【発明が解決しようとする課題】
【０００６】
給紙カセットに小サイズの用紙を収納するときなどに、後端ガイドと用紙の間に補助部材を置くケースがある。補助部材とは、給紙カセットに装着可能な付属品として提供される部材であり、後端ガイドの代わりに用紙後端の位置を規制するためのものである。
【０００７】
補助部材を装着可能な給紙カセットを有する画像形成装置では、補助部材が正しい位置にセットされていたとしても、ユーザ設定サイズと後端ガイドの位置から特定した用紙サイズが不一致と判定される結果、上述した警告表示が行われることになる。このような場合にまで警告表示が行われるのはユーザにとって非常に煩わしいものである。
【０００８】
そこで本発明は、後端ガイドと用紙の間に補助部材が装着可能な用紙収納部を有する画像形成装置において適切に警告表示を行わせるための手段を提供することを目的とする。
【課題を解決するための手段】
【０００９】
上記の目的を達成するために、本発明の画像形成装置は、シートを収納する収納部と、前記収納部から給送されたシートに画像を形成する画像形成部と、前記収納部において前記シートの給送方向にスライド可能に構成され、前記給送方向における前記シートの後端の位置を規制する後端規制ガイドと、前記後端規制ガイドの位置に基づき前記シートのサイズを検知する検知部と、前記収納部に対して設定するシートのサイズをユーザ指示に基づき入力する入力部と、情報を表示する表示部と、前記入力部により入力されたシートのサイズにおける前記給送方向の長さと、前記検知部により検知されたシートのサイズにおける前記給送方向の長さとが対応しているか否かを判定し、該判定の結果に基づく警告画面を前記表示部に表示させる制御手段と、を有し、前記収納部は、該収納部に収納されるシートと前記後端規制ガイドの間に補助部材を装着可能であり、前記制御手段は、前記入力部により入力されたシートのサイズにおける前記給送方向の長さが所定長さよりも長い場合には、前記判定の結果に基づく前記警告画面の表示を行い、前記入力部により入力されたシートのサイズにおける前記給送方向の長さが前記所定長さよりも短い場合には、前記判定の結果に基づく前記警告画面の表示を行わないように前記表示部を制御することを特徴とする。
【発明の効果】
【００１０】
本発明によれば、後端規制ガイドと用紙の間に補助部材が装着可能な収納部を有する画像形成装置において、適切に警告表示を行わせることができる。
【図面の簡単な説明】
【００１１】
【図１】画像形成装置の断面図
【図２】画像形成装置の制御ブロック図
【図３】給紙カセットの構成図
【図４】用紙サイズの設定画面
【図５】用紙サイズの検知結果とユーザ設定サイズの関係を示す表
【図６】警告画面を示す図
【図７】ユーザ設定サイズと自動検知した用紙サイズに基づいて警告画面を表示する例を説明するフローチャート
【図８】補間部材を取り付けた給紙カセットの模式図
【図９】第２実施形態においてユーザ設定サイズと自動検知した用紙サイズに基づいて警告画面を表示する例を説明するフローチャート
【発明を実施するための形態】
【００１２】
（第１の実施形態）
以下、図面を参照して本発明の好適な実施形態を説明する。図１は画像形成装置の一例であるフルカラー複写機の概略構成を示す断面図である。図１の画像形成装置は、リーダー部１００１、プリンタ部１００２、及び操作部１００３を備える。リーダー部１００１は画像読取装置１５０を備えており、原稿上の画像を光学的に読み取り、読み取った画像を電気信号に変換し画像データを生成する。リーダー部１００１はＡＤＦ１６０を備え、原稿トレイ１６１上に積載された原稿Ｓを図中点線で示される搬送部１６４により１枚ずつ原稿流し読みガラス１５４へと搬送する。そして原稿流し読みガラス１５４の下側に位置する光学スキャナユニット１５１により、原稿流し読みガラス１５４に搬送されてくる原稿上の画像を読み取る。光学スキャナユニット１５１で読み取られた後、原稿は搬送部１６４によって原稿排紙トレイ１６２上に排紙される。排紙原稿検知センサ１６３は、原稿排紙トレイ１６２上に排紙された原稿の有無を検知する。また原稿有無検知センサ１６５は、原稿トレイ１６１上に原稿Ｓが積載されているか否かを検知する。
【００１３】
プリンタ部１００２は、点線枠部で示したレーザ露光部１０１、作像部１０２、定着部１０３、給紙カセット１２０ａ、１２０ｂ、手差しトレイ１２０ｃを含む給紙／搬送部１０４（破線枠部）を備えている。給紙カセット１２０ａ、１２０ｂ、手差しトレイ１２０ｃは、複数のサイズの用紙（シート）を収納する用紙収納部である。作像部１０２は、感光ドラム１１０ａ、１１０ｂ、１１０ｃ、１１０ｄ（以下、１１０ａ〜１１０ｄのように記す）を備える画像形成部である。レーザ露光部１０１は、画像データに応じて変調されたレーザ光を等角速度で回転する回転多面鏡１１１に入射させ、図中一点鎖線で示す反射走査光として感光ドラム１１０ａ〜１１０ｄに照射し潜像を形成する。作像部１０２は、感光ドラム１１０ａ〜１１０ｄを回転駆動し、帯電器によって帯電させ、レーザ露光部１０１によって感光ドラム１１０ａ〜１１０ｄ上に形成された潜像をトナーを用いて現像し、そのトナー像を、用紙収納部から給送されてきた用紙に転写する。４つの感光ドラム１１０ａ〜１１０ｄは、順に、イエロー（Ｙ）、マゼンタ（Ｍ）、シアン（Ｃ）、ブラック（Ｋ）の画像形成用に並べられ、作像開始から所定時間が経過した後に順次作像動作を実行する。このタイミング制御により用紙上に各色のトナー像が重畳して転写されフルカラートナー像が形成される。定着部１０３は、ローラやベルトの組み合わせにより構成されるとともにハロゲンヒータ等の熱源を備え、作像部１０２によって形成された用紙上の未定着のフルカラートナー像を熱と圧力によって溶解、定着させる。
【００１４】
給紙／搬送部１０４は、給紙カセット１２０ａ、１２０ｂ、手差しトレイ１２０ｃの何れかの収納部に収納された用紙を一枚ずつ分離して作像部１０２へと搬送する。作像部１０２に搬送された用紙は上述したように各色トナー像が転写され、定着部１０３により定着されて、排紙トレイ１３０へ排紙される。
【００１５】
操作部１００３は、キー入力部４０００とタッチパネル部４００１を有する。キー入力部４０００の操作はユーザがキーに触れることで行われる。電源スイッチ４０１０は画像形成装置全体の電力の供給／切断を切り替えるスイッチである。スタートキー４０２０は、原稿読取動作及び印刷動作を行うコピージョブの実行開始を指示するためのキーであり、ストップキー４０３０は、コピージョブを中断するためのキーである。破線枠部に示したテンキー４０４０は、コピー部数を設定するためのキーである。クリアキー４０５０は、コピーモードの設定を初期値に戻すためのキーである。ユーザモードキー４０６０は、システム設定や各種調整等を行う画面に移行するためのキーである。タッチパネル部４００１は、ユーザがタッチパネル３０１に触れることで情報の入力が可能であると共に、情報を表示するための表示部としても機能する。タッチパネル部４００１にはコピー部数、倍率、コピー濃度等が表示される。
【００１６】
（制御ブロック）
図２（ａ）は、本実施形態の画像形成装置の制御ブロック図である。画像形成装置は、ＣＰＵ２０１、ＲＯＭ２０２、ＲＡＭ２０３、操作制御部２０４、リーダー制御部２０５、画像処理部２０６、外部Ｉ／Ｆ制御部２０８、プリンタ制御部２０７がシステムバス２００を介して接続されている。ＣＰＵ２０１は画像形成装置を制御する制御手段である。ＲＯＭ２０２には後述するフローチャートを実行する為のプログラムが書き込まれており、ＣＰＵ２０１はこのプログラムを実行し各種機能を提供する。ＲＡＭ２０３はＣＰＵ２０１が各種演算処理を行うための作業用メモリとして使用される。操作制御部２０４は、操作部１００３の各構成部品を制御するための電気回路である。リーダー制御部２０５とプリンタ制御部２０７は夫々リーダー部１００１、プリンタ部１００２の各構成部品を制御するための入出力ポートを含む電気回路である。プリンタ制御部２０７は、幅ボリュームセンサ５１４、紙有無センサ５１５、５１６、５１７、用紙幅検知センサ８１８、用紙長検知センサ８１７、紙有無センサ８２０等の検知部を制御する。またプリンタ制御部２０７は図３に示したピックアップローラ８１１の各駆動回路を備えている。ＣＰＵ２０１は、ＲＯＭ２０２に記憶されたプログラムに従いリーダー制御部２０５とプリンタ制御部２０７を制御し画像形成動作を実行する。
【００１７】
画像処理部２０６は、リーダー制御部２０５により変換された原稿画像のデジタルデータに各種の画像処理を行い、画像処理が行われたデータをプリンタ制御部２０７に出力する。外部Ｉ／Ｆ制御部２０８は、画像形成装置をＬＡＮケーブルやＵＳＢケーブルを介してサーバやパーソナルコンピュータ等の外部機器と接続し、その外部機器との通信を制御するための電気回路である。
【００１８】
（操作制御部のブロック図）
図２（ｂ）は、操作制御部２０４の詳細を示すブロック図である。タッチパネル３０１及びハードキー群３０３（図１（ｂ）の４０２〜４０６に相当）は、操作入力部３０６を介してシステムバス２００に接続される。そしてタッチパネル３０１の押下位置を示す座標情報及びハードキー群の押下に対応するキー情報は、操作入力部３０６を介してシステムバス２００に出力される。ＬＣＤ３０２は、表示制御部３０５を介してシステムバス２００に接続されている。表示制御部３０５及び操作入力部３０６は、システムバス２００を介して、ＣＰＵ２０１、ＲＯＭ２０２、ＲＡＭ２０３と接続されている。ＲＯＭ２０２は、制御プログラムの他に各種動作モードの設定画面のデータや表示キーのデータ等を記憶している。ＲＡＭ２０３は、画像形成装置の現在の設定状態を記憶している。ＣＰＵ２０１は、操作入力部３０６から座標情報及びキー情報が入力されると、次のように動作する。即ち、ＣＰＵ２０１は、現在の画像形成装置の設定状態及びユーザによるタッチパネル３０１又はハードキー群３０３への操作に応じた設定画面、表示キーを選択して、表示データとして表示制御部３０５へ転送する。表示制御部３０５は、ＣＰＵ２０１により転送された表示データをＬＣＤ３０２に送信し、ＬＣＤ３０２は、転送された表示データを可視表示する。
【００１９】
（給紙カセットの構成）
図３を用いて本実施形態の収納部の一例である給紙カセット１２０ａの構成について説明する。図３（ａ）は給紙カセット１２０ａの画像形成装置の正面を下側とした上視図であり、図３（ｂ）（ｃ）は給紙カセット１２０ａの画像形成装置の正面から給紙カセット１２０ａを仮想的に透視した場合の後側面図である。図３（ｃ）は、給紙カセット１２０を画像形成装置に装着した状態の正面図である。
【００２０】
給紙カセット１２０ａは、画像形成装置側の本体８１９から引き出した状態で用紙の補給が可能になり、給紙カセット１２０ａを画像形成装置側の本体８１９に収納した状態で印刷動作が可能となる。
【００２１】
給紙カセット１２０ａには複数枚の用紙が積載可能であり、最上位の用紙から順に本体８１９近傍に設けられたピックアップローラ８１１により作像部１０２へ給送される。
【００２２】
サイド規制ガイド８１２、８１３は、用紙の給送方向に直交する幅方向である矢印８Ｙ１、８Ｙ２の方向にスライド可能に設けられており、積載された用紙の幅方向の側端を規制し、用紙が斜行したまま給送されることを防止する。またサイド規制ガイド８１２、８１３は、不図示のリンク機構を介して図３（ｂ）に示される用紙幅検知板８１５と連結されており、サイド規制ガイド８１２、８１３の移動に伴い、用紙の給送方向に直交する方向である矢印８Ｙ１、８Ｙ２の方向にスライドする。本実施形態ではサイド規制ガイド８１２、８１３は、用紙幅が９８．５ｍｍ〜２１５．０ｍｍの用紙を規制可能である。
【００２３】
後端規制ガイド８１４は、用紙の給送方向である矢印８Ｘ１、８Ｘ２の方向にスライド可能に構成されており、前記用紙の給送方向における後端の位置を規制する。後端規制ガイトはこれにより、積載された用紙が給紙される反動で他の用紙が給紙方向と逆方向に移動することを防止する。また後端規制ガイド８１４は、不図示のリンク機構を介して用紙長検知板８１６と連結されており、後端規制ガイド８１４の位置に応じて、用紙長検知板８１６が矢印８Ｘ１、８Ｘ２の方向に連動してスライドする。本実施形態では後端規制ガイド８１４は、用紙長が１９０．５ｍｍ〜３５５．６ｍｍの用紙の後端を規制可能である。
【００２４】
本体８１９に設けられた用紙幅検知センサ８１８は、ＳＷ０、ＳＷ１、ＳＷ２の３連スイッチで構成され、給紙カセット１２０ａが本体８１９に挿入された状態で用紙幅を検知する。具体的には、サイド規制ガイド８１２、８１３に連動して矢印８Ｙ１、８Ｙ２の方向にスライドする用紙幅検知板８１５の図中点線の位置の形状の情報を、ＳＷ０、ＳＷ１、ＳＷ２のオン／オフの組み合わせとして検知する。
【００２５】
同様に、本体８１９に設けられた用紙長検知センサ８１７は、ＳＷ３、ＳＷ４、ＳＷ５の３連スイッチで構成され、給紙カセット１２０ａが本体８１９に挿入された状態で、用紙長を検知する。具体的には、後端規制ガイド８１４に連動して矢印８Ｘ１、８Ｘ２の方向にスライドする用紙長検知板８１６の図中点線の位置の形状の情報を、ＳＷ３、ＳＷ４、ＳＷ５のオン／オフの組み合わせとして検知する。
【００２６】
本体８１９に設けられた紙有無センサ８２０は、給紙カセット１２０ａに収納された複数枚の用紙のうち最上面に位置する用紙の紙面を検知する。ＣＰＵ２０１は、用紙幅検知センサ８１８、用紙長検知センサ８１７、及び紙有無センサ８２０の検知結果に基づき、不図示のリフトアップモータを駆動／停止する。これにより給紙カセット１２０ａ上に積載された用紙がピックアップローラ８１１により給紙可能な高さまで上昇させるリフトアップ動作を行う。そして、給紙可能な高さまでリフトアップさせた状態で給紙カセット１２０ａ上の用紙有無を判断する動作を行う。
【００２７】
（ユーザ設定サイズ）
上述したように本実施形態では、給紙カセットに収納された用紙のサイズを自動検知する機構が備わっているが、ユーザにより指定された用紙サイズ（シートサイズ）を給紙カセットに設定することもできる。
【００２８】
図４を参照して、ユーザ指示に従って用紙サイズを設定する例について説明する。図４（ａ）〜（ｃ）は操作部１００３に表示される用紙サイズ設定画面である。
【００２９】
図４（ａ）において、給紙カセットキー４０２は用紙サイズ設定対象の給紙カセットを選択するためのキーである。給紙カセットキー４０２には、その給紙カセットに登録されている用紙サイズの情報が表示される。給紙カセットキー４０２がユーザに押下されると、そのキーに対応する給紙カセットが用紙サイズの設定対象として選択される。図４（ａ）の例では給紙カセット１２０ａが用紙サイズの設定対象として選択されている。用紙情報表示領域４０４は、選択状態の給紙カセットに設定されている用紙の詳細情報が表示される領域であり、用紙サイズの他、用紙種類や坪量の情報がこの領域に表示される。ユーザ設定サイズキー４０３は、選択されている給紙カセットに設定すべき用紙サイズを入力させるためのキーであり、このキーがユーザに押下されることで図４（ｂ）に示すユーザ設定サイズ画面７０１に遷移する。
【００３０】
図４（ｂ）は、ユーザ設定サイズキー４０３が押下されることで表示される画面である。図４（ｂ）において、用紙サイズ入力領域４０６は用紙を給送する方向（給送方向Ｘ）の長さ（用紙長）の情報を入力するための領域であり、用紙サイズ入力領域４０７は、給送方向に直交する幅方向Ｙの用紙長さ（用紙幅）を入力するための領域である。用紙サイズ入力領域４０６、４０７に用紙長と用紙幅の情報を入力することで、定型サイズだけでなく不定形サイズについても設定することができる。ユーザはテンキー４０４０や図４（ｂ）に表示されたソフトキーボードを使用し、給送方向Ｘおよび幅方向Ｙの用紙サイズを指定する。ＯＫキー４０５は、指定された用紙サイズを確定するためのキーである。ＯＫキー４０５が押下されることにより、ＣＰＵ２０１は、ユーザ設定サイズ画面で入力した用紙サイズを対象の給紙カセットに対して設定し、図４（ｃ）に示すように用紙情報表示領域４０４に用紙サイズの情報を表示する。
【００３１】
（給紙カセットの用紙サイズ検知）
次に、ユーザにより指定された用紙サイズ（ユーザ設定サイズ）と自動検知した用紙サイズの一致／不一致を判定する処理について説明する。図５は、用紙長検知センサ８１７のＳＷ３〜５の検知結果とユーザに指定された用紙サイズ（ユーザ設定サイズ）の対応表である。図５の対応表はＲＯＭ２０２或いはＲＡＭ２０３に記憶されており、ＣＰＵ２０１はこの対応表の情報に基づき用紙サイズエラーを判定する。
【００３２】
図５（ａ）は、用紙の給送方向の長さにおける自動検知結果とユーザ設定サイズの関係を示した表であり、図５（ｂ）は用紙の幅方向の長さにおける自動検知結果とユーザ設定サイズの関係を示した表である。
【００３３】
図５（ａ）の表の１列目は、用紙長検知センサ８１７のＳＷ３〜５の出力状態から特定される用紙サイズ長を、表の２〜４列目はＳＷ３〜５の出力状態を、５列目以降はユーザ設定サイズをそれぞれ示している。図５（ａ）中、“セットミス”と記載されている部分は、ユーザ設定サイズで設定された用紙長さと自動検知結果が不一致、つまりセットミスと判断することを示している。セットミスと判断された場合、ＣＰＵ２０１は図８に示す用紙サイズエラー画面を操作部１００３に表示させ、ユーザにセットミスを報知する。“○”と記載されている部分はユーザ設定サイズで設定された用紙長さと自動検知結果が一致している、即ちセットミスではないと判断することを示している。この場合は用紙サイズエラー画面は表示されずにユーザ設定サイズが確定される。
【００３４】
図５（ｂ）は、後端規制ガイド８１４の位置に基づき自動検知される用紙サイズとユーザ設定サイズの対応表である。表の１列目は用紙幅の設定範囲を、表の２〜４列目は用紙長検知センサ８１７のＳＷ０〜ＳＷ２の出力状態を、５列目以降にはユーザ設定サイズをそれぞれ示している。図５（ｂ）中、“セットミス”と記載されている部分はユーザ設定サイズで設定された用紙幅と用紙サイズの検知結果が不一致、つまりセットミスと判断していることを示している。セットミスと判断された場合、ＣＰＵ２０１は図８に示す用紙サイズエラー画面を操作部１００３に表示させ、ユーザにセットミスを報知する。“○”と記載されている部分はユーザ設定サイズで設定された用紙長さと自動検知結果が一致している、即ちセットミスではないと判断することを示している。
【００３５】
例えばＳＷ３がＯＦＦ、ＳＷ４がＯＮ、ＳＷ５がＯＮであるという検知結果である場合は、図５（ａ）の表によると、後端規制ガイド８１４は、給送方向において１９０．５〜２２１．５ｍｍの長さの用紙を規制可能な位置にあることが分かる。それに対し用紙サイズ設定画面で入力されたユーザ設定サイズにおける給送方向の長さが１９０．５〜２２１．５ｍｍである場合、自動検知した用紙サイズとユーザ設定サイズが対応している。そのため後端規制ガイド８１４は正しくセットされていると判断し、警告画面の表示は行わない。ところが、図４（ｂ）の用紙サイズ設定画面で給送方向の長さが２２１．５ｍｍより長いサイズがユーザ設定サイズとして指定された場合は、自動検知した用紙サイズと一致しないため、ＣＰＵ２０１は図６の警告画面を操作部１００３に表示させる。図６の警告画面の表示を行うことで、後端規制ガイド８１４（又はサイド規制ガイド８１２）が正しい位置にセットされていないことに起因する給送不良やジャムの発生を防止することができる。
【００３６】
（補間部材を設置するケース）
ところで後端規制ガイド８１４は、図３で示した８Ｘ１〜８Ｘ２の距離をスライド可能に構成されており、１９０．５〜３５５．６ｍｍの用紙の後端位置を支えることができる。しかし後端規制ガイド８１４のスライド可能な範囲には限界があるため、これより小さいサイズの用紙、即ち用紙長が１４８．０ｍｍ〜１９０．５ｍｍ未満の用紙を支えることはできない。例えば用紙長が１４８．０ｍｍであるＡ５用紙や長型３号などの封筒給紙カセットに収納される場合は、後端規制ガイド８１４による用紙の後端位置の規制ができない。このように後端規制ガイド８１４で支えることができる用紙サイズよりも小さいサイズの用紙を使用する場合、確実に用紙を規制するため、本実施形態では後端規制ガイド８１４と用紙の間に補助部材９０１が置かれる。具体的には１９０．５ｍｍ未満のサイズの用紙を給紙カセットに補給する場合は補助部材９０１が設置される。補助部材９０１は、給紙カセット１２０ａに装着可能な、給紙カセット１２０ａの付属品として提供されるアタッチメントであり、後端規制ガイド８１４の代わりに用紙後端の位置を規制するためのものである。
【００３７】
図８は給紙カセット１２０ａ内の後端規制ガイド８１４と用紙の間に補助部材９０１が装着された例である。図８の一点鎖線は、後端規制ガイド８１４がスライド可能な最小サイズ位置である。後端規制ガイド８１４のスライド可能な最小サイズ（例えばＡ５サイズ１４８．０ｍｍ）未満の用紙を積載するため、用紙と後端規制ガイド８１４の間に補助部材９０１を設置する場合があることを想定している。
【００３８】
補助部材９０１が設置するケースでは、ユーザにより入力された用紙サイズ（ユーザ設定サイズ）と、後端規制ガイド８１４の位置から自動検知した用紙サイズが不一致であったとしても警告表示を行うべきではない。そこで本実施形態は、補助部材９０１を設置して用紙をカセットに収納することが想定されるケースでは警告表示を行わないようにしている。
【００３９】
（警告表示を行う処理を説明するフローチャート）
図７は、ユーザ設定サイズと自動検知サイズの判定結果に基づき警告表示を行わせる処理を説明するフローチャートである。図７のフローチャートは、画像形成装置の電源投入時、給紙カセット１２０ａが閉じられた時、ユーザが用紙サイズを設定した時、に実行される。図７のフローチャートに示す各ステップはＲＯＭ２０２に記憶されたプログラムに従いＣＰＵ２０１により実行される。
【００４０】
Ｓ１４０１でＣＰＵ２０１は、ＲＡＭ２０３に記憶されている給紙カセット１２０ａの情報を“用紙なし”且つ“用紙サイズ不定”の状態に初期化する。次にＳ１４０２でＣＰＵ２０１は、用紙幅検知センサ８１８のＳＷ０、ＳＷ１、ＳＷ２、用紙長検知センサ８１７のＳＷ３、ＳＷ４、ＳＷ５の検知結果から、給紙カセット１２０ａが本体８１９に装着されているか否かを判断する。ＳＷ０〜ＳＷ５が全てオフの場合は、給紙カセット１２０ａが本体８１９に装着されていないと判断する。一方、ＳＷ０〜ＳＷ５の何れかがオンである場合は装着されていると判断する。Ｓ１４０２で給紙カセット１２０ａが装着されていると判断した場合はＳ１４０３の処理に進む。Ｓ１４０３でＣＰＵ２０１は、後端規制ガイド８１４とサイド規制ガイド８１２の位置に基づき用紙のサイズを検知する。この検知方法は図５で説明した通りである。
【００４１】
Ｓ１４０４でＣＰＵ２０１は、ユーザ設定サイズの設定がなされているか否かを判定する。具体的には、図４（ｂ）のサイズ設定画面で、ユーザ設定用紙サイズが給紙カセット１２０ａに設定されたときはＳ１４０４でＹＥＳと判定する。ユーザ設定サイズの設定がなされていると判定した場合はＳ１４０５に進み、ユーザ設定サイズの設定がなされていないと判定した場合はＳ１４０８に進む。Ｓ１４０５でＮＯと判定した場合は、自動検知した用紙サイズの情報がそのまま給紙カセット１２０ａに対して設定される。即ち、後端規制ガイド８１４とサイド規制ガイド８１２の位置の検知に応じて特定された用紙サイズを、給紙カセット１２０ａの用紙サイズとして確定する。
【００４２】
Ｓ１４０５でＣＰＵ２０１は、ユーザ設定サイズの給送方向Ｘの長さ（用紙長）が１４８．０ｍｍ〜１９０．５ｍｍ未満か否かを判定する。この範囲内の用紙サイズは、後端規制ガイド８１４が支えることができる用紙のサイズよりも小さいサイズの用紙である。そのため後端規制ガイド８１４と用紙の間に補助部材９０１が置かれていることが想定される。そこで本実施形態では、用紙長が１４８．０ｍｍ〜１９０．５ｍｍの用紙がユーザ設定サイズとして入力された場合はＳ１４０６の判定処理を行わずにＳ１４０８の処理を実行する。即ち自動検知した用紙サイズとの一致／不一致に関わらず、ユーザ設定サイズを給紙カセット１２０ａのサイズ情報として確定する。
【００４３】
Ｓ１４０５でユーザ設定サイズの給送方向Ｘの長さ（用紙長）が１９０ｍｍより長いと判断した場合はＳ１４０６に進む。Ｓ１４０６でＣＰＵ２０１は、ユーザ設定サイズを自動検出した用紙サイズと比較する。具体的には、図５（ａ）の表を参照して、ユーザ設定サイズの給送方向Ｘの長さ（用紙長）と、後端規制ガイド８１４の位置検出結果を比較する。さらに、図５（ｂ）を参照して、ユーザ設定サイズの幅方向Ｙの長さ（用紙幅）とサイド規制ガイド８１２の位置検出結果を比較する。比較の結果、用紙長、用紙幅、何れか一方について“セットミス”に該当すると判断した場合、Ｓ１４０７の処理に進む。Ｓ１４０７でＣＰＵ２０１は、図６に示す警告画面を操作部１００３に表示させる。図６に示す警告画面は、ガイドが用紙サイズに合った位置にセットされているかを促す情報、および、ユーザ設定サイズが実際の用紙サイズと一致しているかの確認を促す情報が表示される警告画面である。この時ＣＰＵ２０１は、給紙カセット１２０ａの情報を、Ｓ１４０１で初期化した用紙無し、且つ用紙サイズ不定の状態のままとする。給紙カセットの状態が用紙無しの状態に初期化されたままであるため給紙カセット１２０ａを使用した画像形成動作は行わない。
【００４４】
Ｓ１４０６にてユーザ設定サイズと自動検知した用紙サイズが一致、即ち“セットミス”ではないと判定した場合はＳ１４０８の処理に進む。Ｓ１４０８でＣＰＵ２０１は、ユーザ設定サイズ又は自動検出された用紙サイズを給紙カセット１２０ａの用紙サイズ情報として確定する。
【００４５】
Ｓ１４０９でＣＰＵ２０１は、給紙カセット１２０ａ内の用紙を給紙可能な高さまで上昇させるためにリフトアップ動作を開始する。Ｓ１４１０でＣＰＵ２０１は、紙有無センサ８２０の検知結果に基づいて用紙の有無を判断する。Ｓ１４１０で用紙無と判断した場合、ＣＰＵ２０１は、Ｓ１４１１で所定時間が経過したか否かを判断する。Ｓ１４１１で所定時間が経過していないと判断した場合はＳ１４１０の処理に戻る。Ｓ１４１１で所定時間が経過したと判断した場合は、所定時間経過しても紙有無センサ８２０により給紙カセット１２０ａ上に積載された紙の紙面を検知できないことを意味する。この場合、ＣＰＵ２０１はリフトアップ動作を停止させ（Ｓ１４１２）、給紙カセット１２０ａに用紙がないと判断する。さらに、ＣＰＵ２０１は、Ｓ１４１３で、Ｓ１４０１で初期化した、給紙カセット１２０ａの情報を、“用紙サイズ不定”から、“ユーザ設定サイズ”又は“自動検出された用紙サイズ”に置き換える。
【００４６】
Ｓ１４１０で用紙が有ると判断した場合、Ｓ１４１４の処理に進む。Ｓ１４１４で、ＣＰＵ２０１はリフトアップを停止する。Ｓ１４１５でＣＰＵ２０１は、Ｓ１４０１で給紙カセット１２０ａの情報を  “ユーザ設定サイズ”、又は“自動検出された用紙サイズ”に置き換える。即ちＣＰＵ２０１は、給紙カセット１２０ａの状態を、用紙あり、かつ、ユーザ設定サイズ、または自動検出された用紙サイズの状態として、ＲＡＭ２０３に記憶する。そしてＣＰＵ２０１は、ユーザ設定サイズ、又は自動検出された用紙サイズに基づいて画像形成動作を制御する。
【００４７】
Ｓ１４１６でＣＰＵ２０１は、本体８１９に給紙カセット１２０ａが装着されているか否かを判断する。ＣＰＵ２０１は、用紙幅検知センサ８１８、用紙長検知センサ８１７の検知結果に基づきＳＷ０〜ＳＷ５の何れかがオンであれば給紙カセット１２０ａがあると判断し、Ｓ１４１６の処理を繰り返す。これによりＣＰＵ２０１は、給紙カセット１２０ａありを検知している間、Ｓ１４０３で判断した給紙カセット１２０ａの状態を保持する。Ｓ１４１６でＣＰＵ２０１は、用紙幅検知センサ８１８、用紙長検知センサ８１７の検知結果に基づき、ＳＷ０〜ＳＷ５のすべてがオフの場合には給紙カセット１２０ａがないと判断し、Ｓ１４０１の処理に戻る。
【００４８】
ここで、給紙カセット１２０ａがないとＣＰＵ２０１が判断する場合とは、例えばＳ１４０７の処理で、図８に示す画面の指示に従い、ユーザが給紙カセット１２０ａを本体８１９から引き出した場合が相当する。またＳ１４１５の処理の後、画像形成動作により給紙カセット１２０ａ上に積載された用紙が消費され、例えば操作部１００３に用紙なしを表示したことに応じてユーザが給紙カセット１２０ａを引き出した場合が相当する。更に、用紙がなくなったＳ１４１３の処理の後に、空の給紙カセット１２０ａを本体８１９に装着した場合等が相当する。このように、Ｓ１４１６でＣＰＵ２０１が、給紙カセット１２０ａがないと判断した場合、Ｓ１４０１の処理に戻り、給紙カセット１２０ａの状態は、用紙なし、かつ、用紙サイズ不定の状態となる。そしてユーザが用紙を給紙カセット１２０ａに補給して給紙カセット１２０ａを本体８１９に装着すると、Ｓ１４０２でＣＰＵ２０１は、給紙カセット１２０ａありと判断することとなる。
【００４９】
本実施形態によれば、ユーザ設定サイズの給送方向の長さ（用紙長）が所定長さより長い場合は後端規制ガイド８１４の位置に応じた警告表示を行い、所定長さより短い場合は後端規制ガイド８１４の位置に応じた警告画面の表示は行わないようにした。この構成により、後端規制ガイド８１４が規制できない用紙長である場合、補助部材９０１が置かれているとみなして警告表示を行わない。これにより、適切に警告表示を行わせることができる。
【００５０】
本実施形態では、所定長さの例として、後端規制ガイド８１４の規制可能な最小用紙の長さ（１９０．０ｍｍ）を例に説明したが、これ以外の基準値を所定長さとしてもよい。例えば、付属品として提供される補助部材９０１のサイズに基づいて決定される長さを所定長さとしてもよい。
【００５１】
また本実施形態では、警告表示の例として、ガイドが用紙サイズに合った位置にセットされているかを促す情報を表示する例や、ユーザ設定サイズがカセットに補給した実際の用紙サイズと合っているかを確認させる情報を表示する例を説明した。しかし、警告表示の内容はこれに限定されるものではなく、例えば、用紙設定エラーのみを通知する警告表示であってもよい。
【００５２】
なお本実施形態では、後端規制ガイド８１４と用紙の間に補助部材９０１が置かれるケースについて説明した。しかし補助部材の装着箇所はこれに限られるものではなく、例えばサイド規制ガイド８１２と用紙の間に補助部材が置かれてもよい。この場合には、図７のＳ１４０４で次の処理を実行する。即ち、ユーザ設定サイズの幅方向Ｙの長さ（用紙幅）が所定幅より小さいかを判定し、所定幅より小さいと判定した場合はサイド規制ガイド８１２の位置検知に応じた警告表示を行わないようにする。このときの所定幅の値は、サイド規制ガイド８１２が規制可能な最小用紙幅を基準にして決定することが好ましい。本実施形態における給紙カセット１２０ａの構成を例にすると、９８．３ｍｍの用紙幅の用紙であればサイド規制ガイド８１２により用紙の側端の位置を規制可能である。そのため９８．３ｍｍ未満の用紙幅がユーザ設定サイズとして指定された場合には上記警告表示を行わないようにする。
【００５３】
（第２の実施形態）
第１の実施形態では、ユーザ設定サイズの用紙長が所定長さより短いと判定されたときは、ユーザ設定サイズの用紙幅が自動検知結果と異なるとしても警告画面の表示は行わない例を説明した。これに対し第２の実施形態は、ユーザ設定サイズの用紙幅が自動検知結果と異なるときは、ユーザ設定サイズの用紙長が所定長さより短いか否かに拘わらず警告表示を行う例を説明する。
【００５４】
図９は、第２の実施形態における警告表示を行う処理を説明するフローチャートである。Ｓ１６０１〜Ｓ１６０２、Ｓ１６０９〜１６１７の処理は、第１の実施形態で説明した図９のＳ１４０１〜Ｓ１４０４、Ｓ１４０８〜Ｓ１４１６の処理と同じであるため説明を省略する。
【００５５】
Ｓ１６０３でＣＰＵ２０１は、用紙長検知センサ８１７（ＳＷ３〜ＳＷ５）の検知結果に基づき図５（ａ）の用紙長さを検知するとともに、用紙幅検知センサ８１８（ＳＷ０〜ＳＷ２）の検知結果に基づき図５（ｂ）の用紙幅を検知する。
【００５６】
Ｓ１６０４でユーザ設定サイズの設定がなされているか否かを判定し、ユーザ設定サイズの場合はＳ１６０５に進み、ユーザ設定サイズではない場合はＳ１６０９に進む。Ｓ１６０５でＣＰＵ２０１は、図５（ｂ）に示す表を用いて、ユーザ設定サイズで設定された用紙幅と、Ｓ１６０３で検知した用紙幅の一致／不一致を判定する。Ｓ１６０７で不一致であると判定した場合はＳ１６０７に進み、図６の警告表示画面を表示部に表示させる。Ｓ１６０５でＮＯと判定した場合はＳ１６０８に進み、Ｓ１６０８で、ユーザ設定サイズの用紙長が後端規制ガイド８１４のスライドが可能な最小サイズ未満か否かを判定する。Ｓ１６０８の判定の結果、最小サイズ未満と判定した場合はＳ１６０９の処理に進む。
【００５７】
一方Ｓ１６０５でＮＯと判定され、Ｓ１６０８でＮＯと判定された場合、Ｓ１６０６に進む。Ｓ１６０６でＣＰＵ２０１は、図５（ａ）の表を用いて、ユーザ設定サイズで設定された用紙長と検出した用紙長が一致するか否かを判定する。Ｓ１６０６の判定の結果、不一致である場合はＳ１６０７の処理に進む。またＳ１６０８でＹＥＳと判定した場合はＳ１６０９の処理に進む。Ｓ１６０９でＣＰＵ２０１は、ユーザ設定サイズまたは自動検出された用紙サイズを給紙カセット１２０ａの用紙サイズ情報として確定する。
【００５８】
以上説明したように、第２の実施形態によれば、ユーザ設定サイズの用紙幅が自動検知結果と異なるときは、ユーザ設定サイズの用紙長が所定長さより短いか否かに拘わらず警告表示を行う。
【００５９】
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００６０】
１０１  レーザ露光部
１０２  作像部
１０３  定着部
１０４  給紙／搬送部
１１０  感光ドラム
１２０ａ  給紙カセット
１３０  排紙トレイ
２０１  ＣＰＵ
２０２  ＲＯＭ
２０３  ＲＡＭ
２０４  操作制御部
２０５  リーダー制御部
２０６  画像処理部
２０７  プリンタ制御部
３０１  タッチパネル
３０２  ＬＣＤ
３０５  表示制御部
３０６  操作入力部
５１４  幅ボリュームセンサ
５１５、５１６、５１５  紙有無センサ
８１１  ピックアップローラ
８１２、８１３  サイド規制ガイド
８１４  後端規制ガイド
８１５  用紙幅検知板
８１６  用紙長検知板
８１７  用紙長検知センサ
８１８  用紙幅検知センサ
８１９  収納部本体
８２０  紙有無検知センサ
９０１  補間部材
１００１  リーダー部
１００２  プリンタ部
１００３  操作部
【図１】
2019031044.tif 000003
【図２】
2019031044.tif 000004
【図３】
2019031044.tif 000005
【図４】
2019031044.tif 000006
【図５】
2019031044.tif 000007
【図６】
2019031044.tif 000008
【図７】
2019031044.tif 000009
【図８】
2019031044.tif 000010
【図９】
2019031044.tif 000011